(57)【要約】【課題】容易にベルトを通すことができるバックルを提供する。【解決手段】バックル１では、ベースプレート２の側壁２２に、対向する側壁２２に向かって突出する突出部３が設けられる。突出部３は、ベースプレート２内のベルト５の先端の移動をガイドし、ベースプレート２の上方の開口から離れる方向へのベルト５の移動を規制するものである。【選択図】図１
2015167843.tif 000002
【特許請求の範囲】
【請求項１】
矩形状の底壁と前記底壁の両端部から上方に起立する一対の側壁を有し上方と側方が開口したベースプレートと、一対の前記側壁の一端部に軸支されるレバー部材を備え、
前記レバー部材は、前記ベースプレートの上方の開口に対して開閉自在に回動し、
前記レバー部材を開方向に回動させると、前記レバー部材と前記底壁との間にベルト挿入部が形成され、前記ベルト挿入部にベルトが挿入可能となり、
前記レバー部材を閉方向に回動させると、前記ベルト挿入部に挿入された前記ベルトが前記レバー部材の基端部と前記底壁とで挟持されるバックルであって、
前記側壁には、対向する前記側壁に向かって突出する突出部が設けられ、
前記突出部は、前記ベースプレート内の前記ベルトの先端の移動をガイドし、前記ベースプレートの上方の開口から離れる方向への前記ベルトの移動を規制するものであることを特徴とするバックル。
【請求項２】
前記レバー部材が閉状態になると、前記レバー部材が前記ベースプレートと当接するものであることを特徴とする請求項１記載のバックル。
【発明の詳細な説明】
【技術分野】
【０００１】
本発明は、バックルに関する。
【背景技術】
【０００２】
従来、底壁と底壁に設けられる一対の側壁を有するベースプレートと、側壁の対向する方向とは垂直な方向の底壁の一端部に開閉自在に軸支されるレバー部材と、側壁の対向する方向とは垂直な方向の底壁の他端部に回動自在に軸支される固定部材と、を備えたバックルが知られている（例えば特許文献１参照）。
【０００３】
このバックルには、レバー部材を開方向に回動させると、レバー部材とベースプレートとの間にベルトが挿入可能な隙間であるベルト挿入部が形成される。
【０００４】
ベルトの一方の端部は、固定部材とベースプレートの底壁とで狭圧し固定される。そして、その反対側のベルトの端部は、ベルト挿入部に挿入された状態でレバー部材を閉方向に回動させると、ベルトはレバー部材とベースプレートの底壁とで狭圧され、ベースプレートに固定される。
【先行技術文献】
【特許文献】
【０００５】
【特許文献１】実開平０６−５８７０６号公報
【発明の概要】
【発明が解決しようとする課題】
【０００６】
ところで、特許文献１に記載されている発明のバックルでは、ベルト挿入部を通過しベースプレートから出てきたベルトの先端部は自在に動かすことができた。そのため、ベルトの先端部を持ち、ベースプレートから離れる方向にベルトの先端部を動かすと、レバー部材が開方向に回動しベルトの固定が解除される虞がある。
【０００７】
そこで、図５に示すように、ベルト挿入部に挿入されたベルトのベースプレート７１から離れる方向への移動を規制する規制部７２をベースプレート７１の側壁に設けることが、本発明者により考えられた。規制部７２が設けられたことにより、レバー部材７３を閉状態にした際、ベースプレート７１から離れる方向にベルトの先端部を動かしたとしても、ベルトの移動が規制部７２によって規制され、レバー部材７３が開方向に回動しなくなった。これにより、ベルトの固定が解除されるのを防ぐことができるようになった。
【０００８】
ここで、規制部７２を設けたことにより、ベルトの先端部をベルト挿入部に挿入し、ベルトの先端部を規制部７２とベースプレート７１の底壁の間を通過させようとする。このとき、ベルトの先端部がベースプレート７１の上方の開口７４を通過してしまっていた。そのため、ベルトの先端部が規制部７２と底壁との間を通過するには、ベルトの先端をベルト挿入部から開口７４を通過させて引き出したうえで、規制部７２と底壁との間に通さなければならず、非常に煩わしいものであった。
【０００９】
本発明は上記従来の問題点に鑑みて発明したものであって、その目的とするところは、容易にベルトを通すことができるバックルを提供することを課題とするものである。
【課題を解決するための手段】
【００１０】
上記課題を解決するために、本発明は、以下のような構成とする。
【００１１】
矩形状の底壁と前記底壁の両端部から上方に起立する一対の側壁を有し上方と側方が開口したベースプレートと、一対の前記側壁の一端部に軸支されるレバー部材を備え、前記レバー部材は、前記ベースプレートの上方の開口に対して開閉自在に回動し、前記レバー部材を開方向に回動させると、前記レバー部材と前記底壁との間にベルト挿入部が形成され、前記ベルト挿入部にベルトが挿入可能となり、前記レバー部材を閉方向に回動させると、前記ベルト挿入部に挿入された前記ベルトが前記レバー部材の基端部と前記底壁とで挟持されるバックルであって、前記側壁には、対向する前記側壁に向かって突出する突出部が設けられ、前記突出部は、前記ベースプレート内の前記ベルトの先端の移動をガイドし、前記ベースプレートの上方の開口から離れる方向への前記ベルトの移動を規制するものであることを特徴とする。
【００１２】
また、前記レバー部材が閉状態になると、前記レバー部材が前記ベースプレートと当接するものであることが好ましい。
【発明の効果】
【００１３】
本発明のバックルは、側壁から突出する突出部が設けられることにより、ベルトのベースプレート内の移動をガイドし、ベルトの上方への移動を規制することができる。
【図面の簡単な説明】
【００１４】
【図１】（ａ）は本実施形態のバックルを開状態にした状態を前方から視た斜視図であり、（ｂ）は本実施形態のバックルを開状態にした状態を後方から視た斜視図である。
【図２】本実施形態のバックルの軸部近傍の拡大断面図である。
【図３】（ａ）は本実施形態のバックルのレバー部材を開状態にし、ベルトを通したときの斜視図であり、（ｂ）はレバー部材を開状態にした状態を後方から視たときの斜視図であり、（ｃ）はレバー部材を閉状態にした状態を後方から視たときの斜視図である。
【図４】本実施形態のバックルの変形例の斜視図である。
【図５】参考例の規制部が設けられたバックルである。
【発明を実施するための形態】
【００１５】
以下、本発明を添付図面に示す実施形態に基づいて説明する。
【００１６】
バックル１は、図１（ａ）及び（ｂ）に示すように、矩形状の底壁２１と底壁２１の両端部から上方に起立する一対の側壁２２を有するベースプレート２を備える。ここで、本実施形態では、底壁２１から側壁２２が立上る方向を上方向とし、その逆方向を下方向とする。そして、ベルト５の先端がベルト挿入部２３に挿入される方向を前方向とし、その逆方向を後方向とする。また、バックル１を前方向から視て右側を右方向とし、左側を左方向とする。ベースプレート２では、上方と側方が開口している。バックル１は、一対の側壁２２の一端部に軸支されるレバー部材４を備える。
【００１７】
レバー部材４は、ベースプレート２の上方の開口に対して開閉自在に回動する。
【００１８】
バックル１では、レバー部材４を開方向に回動させると、レバー部材４とベースプレート２との間にベルト挿入部２３が形成され、ベルト挿入部２３にベルト５が挿入可能となる。
【００１９】
バックル１では、レバー部材４を閉方向に回動させると、ベルト挿入部２３に挿入されたベルト５がレバー部材４とベースプレート２とで挟持され、ベルト５が環状に固定される。
【００２０】
ベースプレート２は、例えば樹脂で形成されるが、材質は限定されない。ベースプレート２は、例えば射出成形で形成されるが、その製造方法は限定されない。
【００２１】
底壁２１には、底壁２１の厚み方向に貫通した、第一固定孔２１ａ、第二固定孔２１ｂ、第三固定孔２１ｃが形成される。第一固定孔２１ａ、第二固定孔２１ｂ、第三固定孔２１ｃは、ベルト５の端部を固定するために設けられる。第一固定孔２１ａ、第二固定孔２１ｂ、第三固定孔２１ｃは、ベルト５が挿通できる程度に左右方向に長い長孔となっている。なお、ベルト５を固定するための長孔は、本実施形態では、三個設けられているが、その数は限定されない。
【００２２】
第一固定孔２１ａは、平面視矩形状となっているが、その形状は限定されない。第一固定孔２１ａの前後方向の幅はベルト５の厚みの二倍程度で、ベルト５が二枚挿通可能な幅であるのが好ましい。また、第一固定孔２１ａの周面の内、前後方向にある面は、下方向に行く程前方向に位置するように傾斜することが好ましい。
【００２３】
第二固定孔２１ｂは、平面視矩形状となっているが、その形状は限定されない。第二固定孔２１ｂの前後方向の幅はベルト５の厚みと同程度で、ベルト５が一枚挿通可能な幅であるのが好ましい。また、第二固定孔２１ｂの周面の内、前後方向にある面は、下方向に行く程後方向に位置するように傾斜することが好ましい。
【００２４】
第三固定孔２１ｃは、平面視矩形状となっているが、その形状は限定されない。第三固定孔２１ｃの前後方向の幅はベルト５の厚みと同程度で、ベルト５が一枚挿通可能な幅であるのが好ましい。また、第三固定孔２１ｃの周面の内、前後方向にある面は、下方向に行く程前方向に位置するように傾斜することが好ましい。
【００２５】
底壁２１の後端部には、図２に示すように、上方向に突出する二本の突条２１ｄが底壁２１の左右方向の全長に亘って設けられる。突条２１ｄは、上方向に凸となる断面球状をしているが、その形状は限定されない。なお突条２１ｄは、レバー部材４を側壁２２に軸支している軸６１の下側に設けられるのが好ましい。また、突条２１ｄの数は限定されない。
【００２６】
底壁２１の前端面は、図１（ａ）に示すように、上方に行く程前方に位置するように傾斜しているが、傾斜していなくともよく、特に限定されない。
【００２７】
側壁２２は、本実施形態では、底壁２１の左右の両端部に前後方向の全長に亘って設けられているが、前後方向の全長に亘って設けられなくともよい。
【００２８】
側壁２２の後端面は、上方向に行く程前方向に位置するように傾斜している。側壁２２の上端面は、後端部が略半円の円弧状となっており、後端部の前端から前端部にかけては底壁２１と平行な平坦面となっている。側壁２２の上端面の前端は、底壁２１の前端よりも前方に突出している。側壁２２の前端面は下方に行く程後方に位置するように傾斜している。なお、側壁２２の外形は上記したものに限定されない。
【００２９】
対向する側壁２２間の長さは、ベルト５の幅方向の長さと略等しく形成される。ここで「略等しく」とは、必ずしも同じである必要はなく、誤差や遊びを含み、同程度であることを示している。これにより、ベルト５の左右方向の移動を規制できる。
【００３０】
側壁２２には、レバー部材４を軸支する軸６１を支持する支持部２２ａが設けられる。支持部２２ａは、本実施形態では、側壁２２の後端部の円弧状となる部分に配設されているが、配設される場所は限定されない。支持部２２ａには、軸６１が通る支持孔（図示せず）が設けられる。
【００３１】
本実施形態のバックル１では、図１（ａ）及び（ｂ）及び図３（ａ）に示すように、左右の側壁２２の上端部に突出部３が設けられる。左側の側壁２２に設けられる突出部３は、右側の側壁２２に向かって突出している。右側の側壁２２に設けられる突出部３は、左側の側壁２２に向かって突出している。つまり突出部３は、各側壁２２において対向する側壁２２に向かって突出して設けられている。突出部３の突出長さは、前後方向の全長に亘って等しい。なお、ここでは突出部３は側壁２２から突出していると記載したが、突出部３が左右の側壁２２に架け渡されて設けられることも含んでいる。
【００３２】
突出部３は開閉自在に回動するレバー部材４の後述する狭圧部４３と干渉しないように設けられる。レバー部材４が開状態のとき、突出部３の後端と狭圧部４３の前端との間には隙間が形成されている。突出部３の後端は、一対の側壁２２の対向する方向とは逆方向に行く程後方に位置するように傾斜している。なお、突出部３の後端は傾斜していなくともよい。
【００３３】
突出部３は、ベルト５の先端がベルト挿入部２３からベースプレート２の前端の開口に向かうベースプレート２内の移動をガイドする。突出部３は、ベルト挿入部２３から挿入され突出部３と底壁２１との間を挿通されたベルト５が、ベースプレート２の上方の開口から離れる方向（上方）へ移動することを規制する。
【００３４】
突出部３により、ベルト挿入部２３から挿入されたベルト５が上方に移動しようとしても、ベルト５の上方への移動を規制するため、レバー部材４がベルト５の移動により閉状態から開状態になるのを防ぐことができる。また、突出部３により、ベルト５のベルト挿入部２３からベースプレート２の前端の開口に向かうベースプレート２内の移動をガイドするため、ベルト５がバックル１内を通り易い。
【００３５】
レバー部材４は、ベルト挿入部２３から挿入されたベルト５を着脱自在に保持する。レバー部材４は、Ｌ字状となっているが、形状は限定されない。レバー部材４は、例えば樹脂で形成されるが、材質は限定されない。レバー部材４は、例えば射出成形により形成されるが、製造方法は限定されない。
【００３６】
レバー部材４は、レバー部材４を回動自在に動かすために掴むレバー部材本体４１を有する。レバー部材４は、レバー部材本体４１に設けられベースプレート２の側壁２２に軸支される軸部４２を有する。レバー部材４は、軸部４２から径外方向に突出する狭圧部４３を有する。レバー部材４を閉方向に回動させると、ベルト挿入部２３から挿入されたベルト５が底壁２１と狭圧部４３により狭圧される。
【００３７】
レバー部材本体４１の形状は、平面視略矩形状となっているが、その形状は限定されない。
【００３８】
レバー部材本体４１の先端部から基端部までの左右方向の幅は、本実施形態では、底壁２１の左右方向の幅と略等しくなっている。ここで、「略等しい」とは、必ずしも同じである必要はなく、誤差を含み、同程度であることを示している。これにより、レバー部材本体４１の左右方向の端面とベースプレート２の側壁２２の外面（側壁２２が対向する方向とは逆側の側壁２２の面）とが、レバー部材４が図３（ｃ）に示すような閉状態のとき面一となるので、バックル１の外観を向上させることができる。
【００３９】
また、レバー部材本体４１の先端部から基端部までの左右方向の幅は、レバー部材本体４１が側壁２２又は突出部３と当接できるように設けられことが好ましい。このとき、図３（ｃ）に示すようにレバー部材４が閉状態になると、レバー部材４がベースプレート２と当接する。これにより、レバー部材４が閉状態になった際音が鳴るので、使用者にレバー部材４が所定の位置まで回転したことを知らせることができる。
【００４０】
レバー部材本体４１の基端部の左右方向の幅は、レバー部材本体４１の先端部から基端部にかけての左右方向の幅よりも狭くなっている。レバー部材本体４１の基端部の左右方向の幅は、本実施形態では、対向する側壁２２の内面（側壁２２が対向する方向の側壁２２の面）同士の長さと略等しくなっている。
【００４１】
レバー部材本体４１の基端から先端にまでの長さは、レバー部材４を閉状態にしたとき、レバー部材本体４１の先端が側壁２２の前端よりも前方に突出する程度であるのが好ましい。これにより、レバー部材４を閉状態から開方向に回動させるとき、レバー部材本体４１の先端部を使用者が摘み易くなる。
【００４２】
また、レバー部材本体４１の先端部は、レバー部材本体４１の基端から先端に向かう方向に行く程レバー部材４の開方向に位置するように湾曲するのが好ましい。これにより、使用者がレバー部材本体４１の先端部を更に掴み易くなる。
【００４３】
更に、レバー部材本体４１の先端部の開方向側の面又は閉方向側の面に、微小な凹又は凸が設けられてもよい。これにより、レバー部材本体４１の先端部を掴む際、滑り難くすることができる。
【００４４】
レバー部材本体４１には、レバー部材本体４１の中間部から基端部にかけて、軸部４２に補強リブ４１ａが連設される。補強リブ４１ａは、基端から先端に行く程開方向に位置するように傾斜している。補強リブ４１ａにより、レバー部材４を開閉するときにかかる力でレバー部材本体４１の基端部が破断し難くなる。
【００４５】
軸部４２は円筒状となっており、中心にベースプレート２の支持部２２ａに支持される軸６１が挿通する挿通孔（図示せず）が設けられる。なお、軸部４２の形状は円筒状に限定されない。軸部４２が一対の側壁２２の支持部２２ａの間に挿入され、ベースプレート２の支持孔と軸部４２の挿通孔に軸６１を挿入することにより、レバー部材４とベースプレート２が固定される。軸６１の左右方向の両端部には径内方向に凹む凹溝（図示せず）が設けられ、軸６１が挿通孔と支持孔から抜けないようにするために、凹溝に嵌め込まれる引掛け部６２ａを有した止め具６２が軸６１の左右方向の両端部に取付けられる。
【００４６】
軸部４２の左右方向の幅は、レバー部材４が開閉自在に抵抗なく動かせるように形成される。
【００４７】
狭圧部４３は、図１（ａ）及び図３（ａ）に示すように、櫛歯状に形成されているが、形状は限定されない。狭圧部４３の左右方向の幅は、軸部４２の左右方向の幅よりも少し狭く形成される。狭圧部４３の閉方向側の端面４３ａは、図２に示すように、軸部４２の径外方向に行く程開方向に位置するように傾斜しているのが好ましい。この傾斜により、レバー部材４を閉方向に動かし狭圧部４３とベルト５が当接したとき、狭圧部４３がベルト５に引っ掛かり難いので、ベルト５が後方向に移動してしまう量を減らすことができる。
【００４８】
バックル１にレバー部材４を閉方向に付勢する付勢手段が取付けられるのが好ましい。これにより、レバー部材４が閉状態になった際、レバー部材がベルト５の上方の移動等の力により開方向に回動することを抑制することができる。
【００４９】
上記した構成のバックル１により、ベルト５を環状に固定する方法について以下に記載する。
【００５０】
使用者は、レバー部材４を開状態にし、ベルト５の一端部を第一固定孔２１ａと第二固定孔２１ｂと第三固定孔２１ｃに挿入し、ベルト５の一端部をベースプレート２に固定する。次に、使用者はベルト挿入部２３にベルト５の他端部を挿入し、ベルト５を後方から前方に向かって送り出すと、図３（ａ）及び（ｂ）に示すように、突出部３と底壁２１との間を通ってベルト５の他端部がベースプレート２の前端から出てくる。そして、使用者がレバー部材４を閉方向に回動させ、図３（ｃ）に示すように、閉状態にすることにより、狭圧部４３と底壁２１とでベルト５が挟持されベルト５が環状に固定される。
【００５１】
上記した構成のバックル１は、観覧車等の遊戯具のシートに取付けられ、シートから使用者が離れないようにするベルト５を固定するために用いられる。以下にバックル１の取付け例について記載する。
【００５２】
シートに、ベルト５がシートの表側から裏側を通り、裏側から表側に出てくるように、シートの厚み方向に貫通した装着孔を二ヵ所設ける。ベルト５の一端部をベースプレート２に固定したバックル１を用意し、ベルト５の他端部を一つ目の装着孔にシートの表側から裏側に挿入する。そして、ベルト５を送り出していき、二つ目の装着孔からベルト５の他端部を取り出す。このようにすることで、ベルト５を固定したバックル１をシートに装着することができる。遊戯具を使用の際は、使用者はベルト５の他端部をベルト挿入部２３に挿入し、ベースプレート２の前端からベルト５の他端部を出し、使用者とシートが密着するまでベルト５を締め、レバー部材４を閉状態にする。
【００５３】
上記した構成のバックル１の変形例の一例として、図４に示すように、レバー部材４を軸支する側壁２２が底壁２１の前端部と中間部の一部と後端部に設けられる。規制部３１がベースプレート２の前端部の側壁２２に設けられ、ガイド部３２がベースプレート２の中間部の側壁２２に設けられるものが考えられる。規制部３１は、ベースプレート２の前端部の側壁２２から、夫々の側壁２２の向かい合う方向に突出して設けられる。ガイド部３２は、ベースプレート２の中間部の側壁２２から、夫々の側壁２２の向かい合う方向に突出して設けられる。
【００５４】
規制部３１は、ベルト挿入部２３を通ったベルト５の上方への移動を規制する。規制部３１と底壁２１の間には、ベルト５が挿通する挿通隙間３１ａが形成される。規制部３１は、底壁２１の左右の両端部の前端部に一対設けられる。左側の規制部３１の上端部は、右側の規制部３１に向かって突出している。右側の規制部３１の上端部は、左側の規制部３１に向かって突出している。つまり各規制部３１の上端部は、対向する規制部３１に向かって突出して設けられている。そして、規制部３１は一対の規制部３１の上端部が架け渡されて設けられてもよい。
【００５５】
ガイド部３２は、ベルト挿入部２３から規制部３１と底壁２１の間へとベルト５の先端をガイドする。ガイド部３２と底壁２１の間には、ベルト５が通るガイド隙間３２ａが形成される。ガイド部３２は、底壁２１の左右の両端部の中間部に設けられる。左側のガイド部３２の上端部は、右側のガイド部３２に向かって突出している。右側のガイド部３２の上端部は、左側のガイド部３２に向かって突出している。つまりガイド部３２の上端部は、対向するガイド壁３２に向かって突出して設けられている。そして、ガイド部３２は一対のガイド部３２の上端部が架け渡されて設けられてもよい。
【００５６】
なお、変形例は上記したものに限られず、本実施形態のバックル１の発明の趣旨を逸脱しない範囲で考えられる。
【００５７】
上記した構成のバックル１には、突出部３が設けられているので、ベルト挿入部２３に挿入されたベルト５を容易にベースプレート２の前端から出すことができる。また、突出部３が設けられているので、レバー部材４を閉状態にした後、挿入部２３に挿入されたベルト５が上方に移動したとしても、レバー部材４が開方向に回動しないようにすることができる。
【００５８】
以上説明したように、本実施形態のバックルは、以下のような構成となっている。
【００５９】
バックル１は、矩形状の底壁２１と底壁２１の両端部から上方に起立する一対の側壁２２を有し上方と側方が開口したベースプレート２と、一対の側壁２２の一端部に軸支されるレバー部材４を備える。レバー部材４は、ベースプレート２の上方の開口に対して開閉自在に回動する。バックル１では、レバー部材４を開方向に回動させると、レバー部材４と底壁２１との間にベルト挿入部２３が形成され、ベルト挿入部２３にベルト５が挿入可能となる。バックル１では、レバー部材４を閉方向に回動させると、ベルト挿入部２３に挿入されたベルト５がレバー部材４の基端部と底壁２１とで挟持される。側壁２２には、対向する側壁２２に向かって突出する突出部３が設けられる。突出部３は、ベースプレート２内のベルト５の先端の移動をガイドし、ベースプレート２の上方の開口から離れる方向へのベルト５の移動を規制するものである。
【００６０】
このように、突出部３が設けられているので、ベルト挿入部２３に挿入されたベルト５を容易にベースプレート２の前端から出すことができる。また、突出部３が設けられているので、レバー部材４を閉状態にした後、挿入部２３に挿入されたベルト５が上方に移動したとしても、レバー部材４が開方向に回動しないようにすることができる。また、突出部３は突出する長さが等しく設けられているので、バックル１の製造が容易になる。そして、突出部３は突出する長さが等しく設けられているので、ベルト５の先端部がガイド隙間と挿通隙間３１ａを通過する際、ベルト５の先端部がベースプレート２の内面に引掛り難くなる。
【００６１】
また、レバー部材４が閉状態になると、レバー部材４がベースプレート２と当接するものが好ましい。
【００６２】
このように、レバー部材４が閉状態になった際音が鳴るので、使用者にレバー部材４が所定の位置まで回転したことを知らせることができる。
【符号の説明】
【００６３】
１    バックル
２    ベースプレート
２１  底壁
２２  側壁
２３  ベルト挿入部
３    突出部
４    レバー部材
５    ベルト
【図１】
2015167843.tif 000003
【図２】
2015167843.tif 000004
【図３】
2015167843.tif 000005
【図４】
2015167843.tif 000006
【図５】
2015167843.tif 000007
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
矩形状の底壁と前記底壁の両端部から上方に起立する一対の側壁を有し上方と側方が開口したベースプレートと、一対の前記側壁の一端部に軸支されるレバー部材を備え、
前記レバー部材は、前記ベースプレートの上方の開口に対して開閉自在に回動し、
前記レバー部材を開方向に回動させると、前記レバー部材と前記底壁との間にベルト挿入部が形成され、前記ベルト挿入部にベルトが挿入可能となり、
前記レバー部材を閉方向に回動させると、前記ベルト挿入部に挿入された前記ベルトが前記レバー部材の基端部と前記底壁とで挟持されるバックルであって、
前記側壁には、対向する前記側壁に向かって突出する突出部が設けられ、
前記突出部は、前記ベースプレート内の前記ベルトの先端の移動をガイドし、前記ベースプレートの上方の開口から離れる方向への前記ベルトの移動を規制するものであることを特徴とするバックル。
【請求項２】
前記レバー部材が閉状態になると、前記レバー部材が前記ベースプレートと当接するものであることを特徴とする請求項１記載のバックル。
【請求項３】
前記突出部が、一対の前記側壁間に架け渡されて設けられることを特徴とする請求項１または請求項２に記載のバックル。
【請求項４】
前記突出部は、前記ベースプレートの上方の開口から離れる方向への前記ベルトの移動を規制する部分である規制部と、前記ベースプレート内の前記ベルトの先端の移動をガイドするガイド部と、を有し、
前記規制部が、一対の前記側壁間に架け渡されて設けられることを特徴とする請求項１乃至請求項３のいずれか一項に記載のバックル。
【手続補正２】
【補正対象書類名】明細書
【補正対象項目名】００１２
【補正方法】変更
【補正の内容】
【００１２】
また、前記レバー部材が閉状態になると、前記レバー部材が前記ベースプレートと当接するものであることが好ましい。
また、前記突出部が、一対の前記側壁間に架け渡されて設けられることが好ましい。
また、前記突出部は、前記ベースプレートの上方の開口から離れる方向への前記ベルトの移動を規制する部分である規制部と、前記ベースプレート内の前記ベルトの先端の移動をガイドするガイド部と、を有し、前記規制部が、一対の前記側壁間に架け渡されて設けられることが好ましい。